(57)【要約】【課題】  視野の角度の調整が容易にでき、眼鏡の収容が便利な、眼鏡のフレームと帽子との組付装置を提供する。【解決手段】  移動可能な眼鏡のフレーム２と帽子１との組付装置であり、帽子１の先端のつば１１に一つの収容部１２を埋め込んで設けて、収容部１２の中に滑り溝１２１を設け、滑り溝１２１の中に一個または複数個の強力磁性体１２２を設ける。滑り溝１２１の中にある強力磁性体１２２と眼鏡のフレーム２の強力磁性体２２１とを相互に固定吸引させることによって、眼鏡のフレーム２を外向き或いは内向きへ推移させると、効果的に収容部１２内にある強力磁性体１２２を連れて滑り溝１２１の中を移動することができる。【選択図】    図３
0003116092.tif 000002
【実用新案登録請求の範囲】
【請求項１】
帽子の先端のつばに一つの収容部が埋め込んで設けられ、
収容部の中に滑り溝が設けられ、この溝に一個または複数個の強力磁性体装置を設置可能であることを特徴とする移動可能な眼鏡のフレームと帽子との組付装置。
【請求項２】
眼鏡のフレームに突出部が設けられ、
突出部の中にユニバーサル・ジョイントを枢設可能にネジ孔が設けられ、
ユニバーサル・ジョイントの中に一個または複数個の強力磁性体が予め設けられていることを特徴とする移動可能な眼鏡のフレームと帽子との組付装置。
【請求項３】
装飾体及び眼鏡のフレームがあり、
該装飾体は多様な造形を有し、且つ底部に一個または複数個の強力磁性体装置が連続に設けてあり、
眼鏡のフレームの中に突出部が設けてあり、突出部の中にネジ孔が設けられ、ユニバーサル・ジョイントが枢設可能であり、且つユニバーサル・ジョイントの中に一個または複数個の強力磁性体が予め設けられていることを特徴とする移動可能な眼鏡のフレームと帽子との組付装置。
【考案の詳細な説明】
【技術分野】
【０００１】
本考案は、移動可能な眼鏡のフレームと帽子との組付装置に関するものであり、主な特徴は、帽子の先端のつばの中に収容部を埋め込んで、収容部の中に一個またはそれ以上の強力磁性体を装着するための滑り溝が設けてある。
【背景技術】
【０００２】
従来知られている帽子と眼鏡のフレームとを位置決めに組付ける構造は、図１及び図２のようになる。該案の主な構造とは、帽子５の先端のつば５１に予め一個以上の磁性体５２を設けておき、他に眼鏡のフレーム６に突出物６１を設けておき、それからつば５１の磁性体５２と眼鏡のフレーム６の磁性体６２とを相互に固定吸引させるには該突出物６１の中に予め一個以上の磁性体６２を設けておく。
【０００３】
しかし該案においては実用上の便利性を持つが、以下に示すように、些か不足のところがあるため、改善すべきことになる。
（１）つばの中にある磁性体は固定設計にしているため、使用者が眼鏡のフレームの位置または角度を調整しようとする場合、多々の不便をもたらした。
（２）使用後、眼鏡のフレームを折り曲げて収納することができないため、必ず取外して別途収納しないとならないので大変面倒になる。
【考案の開示】
【考案が解決しようとする課題】
【０００４】
本考案人は、従来知られた前記のような帽子と眼鏡のフレームとの組付構造における設計方式の不足に対して、改めて設計改善を加えて帽子と眼鏡のフレームとの組付装置をより一般の使用者が簡便に実施できる目的に符合させると同時に、外観を保持させるオリジナル創造性のあるものを作り出したのである。
【課題を解決するための手段】
【０００５】
本考案は、移動可能な眼鏡のフレームと帽子との組付装置に関するものである。主な創作目的とは、帽子の先端のつばの中に一つの収容部を設けておき、その収容部の中に滑り溝が設けてあり、滑り溝の中にある強力磁性体と眼鏡のフレームの強力磁性体とを相互に固定吸引させることによって、眼鏡のフレームを外向き或いは内向きへ推移させると、効果的に収容部内にある強力磁性体を連れて滑り溝の中を移動することができるため、使用者にとって最も優れた視野角度をもたらすことが実現できるところにある。
【考案を実施するための最良の形態】
【０００６】
図３に示したように、本考案の一実施例による移動可能な眼鏡のフレームと帽子との組付装置においては、主として、帽子１の先端のつば１１の中に収容部１２が設けてあり、収容部１２の中に滑り溝１２１が設けてあることによって少なくとも一個または一個以上の強力磁性体１２２が付けられ、また、眼鏡フレーム２があり、眼鏡フレーム２に突出部２１が設けてあり、突出部２１の中にネジ孔２１１が設けてあるため、ユニバーサル・ジョイント２２を枢設することができ、且ユニバーサル・ジョイント２２の中に予め少なくとも一個または一個以上の強力磁性体２２１を設ける。
【０００７】
図８に示したのは、本考案のもう一つの実施例によるより優れた滑り装置のある帽子と眼鏡のフレームであり、主として、装飾体３及び眼鏡のフレーム２があり、該装飾体３は多様な造形があり、且底部に少なくとも一個または一個以上の強力磁性体３１の装置が連続に設けてある。該眼鏡のフレーム２に突出部２１が設けてあり、突出部２１の中にネジ孔２１１が設けてあるため、ユニバーサル・ジョイント２２を枢設することができ、且ユニバーサル・ジョイント２２の中に少なくとも一個または一個以上の強力磁性体２２１が予め設けてある。
【０００８】
組み合わせて実施する場合、図５及び図６に示すように、眼鏡のフレーム２にあるユニバーサル・ジョイント２２の中にある強力磁性体２２１をつば１１の収容部１２の中にある強力磁性体１２２と相互に固定吸引させることにより、使用者が位置を調整しようとする場合、眼鏡フレーム２を外向きまたは内向きへ推移して収容部１２の中にある強力磁性体１２２を連れて滑り溝１２１の中を移動すると、使用者にとって最も優れた視野角度が実現できる。また、使用者が眼鏡のフレーム２を収納したりその角度を調整したりする場合、眼鏡のフレーム２を前或いは後へ回して折り曲げることができるし、または眼鏡のフレーム２をつば１１の上方に置いてから眼鏡のフレーム２を前または後へ回して曲げることもできるため、図７に示したように収納及び角度調整の効果が実現できる。
【０００９】
本考案のもう一つの実施例によるより優れた滑り装置のある帽子と眼鏡のフレームは、図９及び図１０に示したようなものである。それは装飾体３の底部に連続に設けられた強力磁性体３１の装置と、眼鏡のフレーム２上のユニバーサル・ジョイント２２にある強力磁性体２２１を、同時につば１１の上下（装飾体３を上に、眼鏡のフレーム２を下にする）に置き、相互吸引により眼鏡のフレーム２を前或いは後へ移動すると、装飾体３を同じような動作に連れ出すことができ、且装飾体３の造形としては動植物、アニメまたはその他の自然の物に設計できるため、広告または装飾の効果になる。また使用者は眼鏡のフレーム２を収納したりその角度を調整したりする場合、眼鏡のフレーム２を前または後へ回して折り曲げたり、眼鏡のフレーム２１をつばの上に載せてから眼鏡のフレーム２を前または後へ回して曲げたりできるため、収納及び角度調整の効果を持つようになる。
【００１０】
上記に述べたように本考案の実施例は次のような実用性の増進があることが分かった。
（１）本考案の実施例においては、収容部の中にある滑り溝によって有効に強力磁性体に滑るスペースを持たせて視野の角度が調整できるので、眼鏡のフレームの位置をつばの上に移動し易くなる。
（２）本考案の実施例の眼鏡のフレームは多角度に曲げられるため、収納し易くなるし、また視野の角度も調整できる。
（３）本考案の実施例の装飾体は広告の効果または視覚的な美感を有する。
唯、上述したものは本考案のよりよい実施例に過ぎないものであるためにそれを以って本考案の実施範囲を限定することはできないものである。凡そ本考案の実用新案登録請求の範囲によった、均等な変化と修飾は皆本考案の実用新案登録請求の範囲に属すべきものである。
【図面の簡単な説明】
【００１１】
【図１】従来知られた帽子と眼鏡のフレームを横から見た断面のイメージ図（１）である。
【図２】従来知られた帽子と眼鏡のフレームを横から見た断面のイメージ図（２）である。
【図３】本考案の一実施例による帽子と眼鏡のフレームとの分解のイメージ図である。
【図４】本考案の一実施例による収容部と強力磁性体との分解のイメージ図である。
【図５】本考案の一実施例による帽子と眼鏡のフレームを組合せた実施図（１）である。
【図６】本考案の一実施例による帽子と眼鏡のフレームを組合せた実施図（２）である。
【図７】本考案の一実施例による帽子と眼鏡のフレームを組合せた実施図（３）である。
【図８】本考案のもう一つの実施例による帽子と眼鏡のフレームとの分解のイメージ図である。
【図９】本考案のもう一つの実施例による帽子と眼鏡のフレームを組合せた実施図（１）である。
【図１０】本考案のもう一つの実施例による帽子と眼鏡のフレームを組合せた実施図（２）である。
【符号の説明】
【００１２】
１  帽子、１１  つば、１２  収容部、１２１  滑り溝、１２２、２２１、３１  強力磁性体、２  眼鏡のフレーム、２１  突出部、２１１  ネジ孔、２２  ユニバーサル・ジョイント、３  装飾体、５  帽子、５１  つば、５２、６２  磁性体、６  眼鏡のフレーム、６１  突出物
【図１】
0003116092.tif 000003
【図２】
0003116092.tif 000004
【図３】
0003116092.tif 000005
【図４】
0003116092.tif 000006
【図５】
0003116092.tif 000007
【図６】
0003116092.tif 000008
【図７】
0003116092.tif 000009
【図８】
0003116092.tif 000010
【図９】
0003116092.tif 000011
【図１０】
0003116092.tif 000012